(57)【要約】【課題】食卓上等において、その上にワインやビール等の飲料を入れた容器を載置することによって、簡易的に飲料を保冷又は保温できるようにする。【解決手段】飲料容器２の底部に略嵌合する内部形状を有する有底円筒状の外殻体３と、外殻体３の中空部内に収納された複数の分割型４ａ、４ｂからなるカーボン材４と、外殻体３の底部において露出されたカーボン材４ｂに当接して配置されたペルチェ素子５と、ペルチェ素子５の駆動回路８とを備える保温保冷装置。飲料容器２を立ち姿勢のまま装着すれば、ペルチェ素子５の熱交換作用によってカーボン材４が冷却され、飲料容器２が適度に保冷される。【選択図】図２
2007113805.tif 000002
【特許請求の範囲】
【請求項１】
飲料容器の底部に略嵌合する内部形状を有する有底円筒状の外殻体と、前記外殻体の中空部内に収納された複数の分割型からなるカーボン材と、前記外殻体の底部において露出されたカーボン材に当接して配置されたペルチェ素子と、前記ペルチェ素子の駆動回路とを備えることを特徴とする容器入り飲料の保温保冷装置。
【請求項２】
前記外殻体が外周円筒部と底部とを有し、前記カーボン材が、前記外周円筒部の中空部に収納された複数の分周円筒状分割型と、前記底部の中空部に収納された円盤状分割型とからなることを特徴とする請求項１に記載の容器入り飲料の保温保冷装置。
【請求項３】
前記外殻体の底部が、前記外周円筒部と一体の底部上板と、前記外周円筒部とは別体の底部下板とからなり、前記底部下板は、前記底部上板との間の中空部に前記円盤状分割型を挟むようにして前記外周円筒部に対して固定連結されることを特徴とする請求項２に記載の容器入り飲料の保温保冷装置。
【請求項４】
前記底部下板の中央に前記ペルチェ素子の外形と略同一の開口が形成され、前記ペルチェ素子は、前記開口を通して前記カーボン材に当接されることを特徴とする請求項３に記載の容器入り飲料の保温保冷装置。
【請求項５】
前記外殻体がアルミニュウム材又は樹脂からなることを特徴とする請求項１乃至請求項４のいずれかに記載の容器入り飲料の保温保冷装置。
【請求項６】
前記外殻体は、前記底部下板が断熱性樹脂からなり、前記外周円筒部とそれに一体の前記底部上板とがアルミニュウム材又は樹脂からなることを特徴とする請求項１乃至請求項４のいずれかに記載の容器入り飲料の保温保冷装置。
【発明の詳細な説明】
【技術分野】
【０００１】
本発明は、飲料を入れた瓶や缶等の容器を、冷蔵庫、保温庫等の保温保冷設備から取り出したあと、飲用に供する場所で比較的短時間の間、保温又は保冷するための簡易型保温保冷装置に関する。
【背景技術】
【０００２】
ワインやビール等は、冷蔵庫から取り出されたあと、食卓上に並べられて食事と同時に適宜消費される。ワイン等は食事が進む間も風味が落ちないように、氷が蓄えられたボール状の容器に入れられて保冷される。
【０００３】
一方、電磁調理器用の食器として、アルミニュウム製の鍋やフライパンの底部にカーボン材からなる板を固着させたものが知られている（例えば、特許文献１参照）。
【０００４】
また、加熱調理用のプレートとして、カーボン粉末を焼成して固め平面形状としたものを用いる技術が知られている（例えば、特許文献２参照）。
【特許文献１】特開２００３−３８３４６号公報
【特許文献２】特開平６−３２７５６８号公報
【発明の開示】
【発明が解決しようとする課題】
【０００５】
上記特許文献にも開示されているように、カーボン材は、熱伝導特性が良く（アルミニュウムの約半分）、熱源から得たエネルギーを波長２μｍ付近にピークを持つ遠赤外線として輻射する特性を有し、加熱、保温等のための電気機器の材料として非常に優れている。
【０００６】
一方、上述のように、食事の間の短時間に、ワインやビール等が温度上昇してしまわないように、それらを入れた容器を冷やす（保冷する）器具としては、現在、氷を蓄えられるボール状の容器（以下、蓄氷容器）しか存在しない。この蓄氷容器は、氷を入れた上にワインの瓶を複数本入れられるようになっているので、相当大きな体積になり嵩張る。
【０００７】
従って、蓄氷容器は、通常、食卓とは別のテーブルを用意してそのテーブル上に載置され、食卓上に並べたワインを一旦蓄氷容器に戻す動作や、蓄氷容器に入れたワインを取り出して再び食卓上に並べる動作が必要になる。上記動作は面倒であるし、夏場の屋外等でそのような形式（バーベキュー等）の食事をする場合には、蓄氷容器から取り出したビール、ワイン等は、短時間のうちに温度上昇してしまい、風味が落ちる。
【０００８】
そこで、本発明者は、上記のような蓄氷容器を用いずに、ワインやビールを食卓上に並べたまま保冷することができるコースタ型の簡易装置を、熱特性が良いカーボン材を用いて製作することを想起し、種々の試作を行ったが、カーボン材を用いる場合には、次のような困難があった。
【０００９】
すなわち、カーボン材は、保温加熱用の材料としては優れているが、曲げ、成形加工が困難であり、衝撃にも弱く、表面に触れるとカーボン粉末が付着する欠点があることが分かった。つまり、カーボン材を用いて、ワインやビール瓶の底形状に合った形状のコースタ型に成型し製品化することは、極めて困難であることが分かった。
【００１０】
一般的に熱伝導特性が優れていると言われる銅を用いた場合、熱伝導特性自体は０．９２３と優れているものの、比熱が０．０９２ｃａｌ／ｇ・度と小さいために、加熱源（加冷源）に大きなエネルギーが必要になり、卓上用の簡易型装置の材料としては向かないことが分かった。つまり、大きなエネルギーを必要とするということは、電源をＡＣ電源としなければならないとか、搭載する電池に非常に大きなものが必要になってきて卓上用として設計することが困難になる。  
【００１１】
そこで、本発明の発明者は、中空部を有する外郭体をアルミニュウム、樹脂等により作成し、その外郭体の内部形状を、ワインやビール瓶の底部に嵌合する形状に形成すると共に、中空部内には、カーボン材を分割型にして挿入することを想起し、本発明を完成することができた。
【００１２】
本発明は、卓上等において、その上にワインやビール等の飲料を入れた容器を載置することによって、簡易的に飲料を保冷又は保温できるコースタ型の保温保冷装置を提供することを目的とする。
【課題を解決するための手段】
【００１３】
請求項１の発明は、飲料容器の底部に略嵌合する内部形状を有する有底円筒状の外殻体と、前記外殻体の中空部内に収納された複数の分割型からなるカーボン材と、前記外殻体の底部において露出されたカーボン材に当接して配置されたペルチェ素子と、前記ペルチェ素子の駆動回路とを備えることを特徴とする容器入り飲料の保温保冷装置である。
【００１４】
請求項２の発明は、前記外殻体が外周円筒部と底部とを有し、前記カーボン材が、前記外周円筒部の中空部に収納された複数の分周円筒状分割型と、前記底部の中空部に収納された円盤状分割型とからなることを特徴とする請求項１に記載の容器入り飲料の保温保冷装置である。
【００１５】
請求項３の発明は、前記外殻体の底部が、前記外周円筒部と一体の底部上板と、前記外周円筒部とは別体の底部下板とからなり、前記底部下板は、前記底部上板との間の中空部に前記円盤状分割型を挟むようにして前記外周円筒部に対して固定連結されることを特徴とする請求項２に記載の容器入り飲料の保温保冷装置である。
【００１６】
請求項４の発明は、前記底部下板の中央に前記ペルチェ素子の外形と略同一の開口が形成され、前記ペルチェ素子は、前記開口を通して前記カーボン材に当接されることを特徴とする請求項３に記載の容器入り飲料の保温保冷装置である。
【００１７】
請求項５の発明は、前記外殻体がアルミニュウム材又は樹脂からなることを特徴とする請求項１乃至請求項４のいずれかに記載の容器入り飲料の保温保冷装置である。
【００１８】
請求項６の発明は、前記外殻体は、前記底部下板が断熱性樹脂からなり、前記外周円筒部とそれに一体の前記底部上板とがアルミニュウム材又は樹脂からなることを特徴とする請求項１乃至請求項４のいずれかに記載の容器入り飲料の保温保冷装置である。
【発明の効果】
【００１９】
本発明によれば、卓上で、簡易的にワインやビールの入った容器を保温又は保冷することができ、装置全体を軽量に製作できるので取り扱いが容易である。また、大部分にカーボン材を用いることができるので、熱特性が良く、少ない消費電気量で効率良く保温又は保冷ができる。
【発明を実施するための最良の形態】
【００２０】
本発明に係る実施形態について、図面を参照して説明する。本実施形態の保温保冷装置１は、図１に使用状態を示すように、ワイン等の飲料の瓶２を、立ち姿勢のまま載せることができるコースタ型の保温保冷装置（以下、保冷装置）であり、飲料瓶２を上方から装着したり、持ち上げて取り出したりできる。
【００２１】
本実施形態の保冷装置１は、図２に示すように、飲料瓶２の底部に略嵌合する内部形状を有する有底円筒状の外殻体３と、外殻体３の中空部内に収納された複数の分割型からなるカーボン材４と、外殻体３の底部において外殻体３から露出されたカーボン材４に当接するように配置されたペルチェ素子５と、ペルチェ素子５の表裏面に貼り付けられた温度センサ６、７と、ペルチェ素子５の駆動回路８と、ペルチェ素子５に一体的に固定されたフィン構造の放熱器９と、冷却用空気を吸引するためのファン１１と、電池を含む電源回路（不図示）と、樹脂製の外側ケース１２を備えている。
【００２２】
外殻体３は外周円筒部３ａと底部３ｂとを有し、底部３ｂは、外周円筒部３ａと一体の底部上板３ｂ１と、外周円筒部３ａとは別体の底部下板３ｂ２とから構成されている。外周円筒部３ａと底部上板３ｂ１はアルミニュウム又は樹脂によって一体に成型され、外周円筒部３ａの内側面と底部上板３ｂ１の上面は飲料瓶２の底部に略嵌合する形状に成型される。特に底部上板３ｂ１の上面は、中央がなだらかな山形に盛り上がった形状に成型され、飲料瓶２を装着したときに、飲料瓶２とほぼ密着し、保冷装置１と飲料瓶２との間の熱交換が効率よく行われるようになっている。
【００２３】
次に、外殻体３と、その中空部に収納されるカーボン材４の形状について、図３乃至図５を参照して詳細に説明する。なお、図３乃至図５は、カーボン材４と外殻体３の構造を、その組み立て工程に沿って示す。
【００２４】
図３に示したように、外殻体３の外周円筒部３ａの中空部には、円周が８分割された分周円筒状分割型（カーボン材）４ａが収納される。８個の分周円筒状分割型４ａが収納された状態では、図４に示したように、底部上板３ｂ１の下面と各分周円筒状分割型４ａの端面とが１つの平面を構成し、その平面に密着するように円盤状分割型（カーボン材）４ｂが収納される。
【００２５】
円盤状分割型４ｂが収納された外殻体３は、図５に示したように、１つの有底円筒状になり、その底部に、断熱性樹脂からなり中央に孔１４の明けられたドーナツ形状の底部下板３ｂ２が、ビス１３等の固定具を用いて固定される。上述のようにして中空部内にカーボン材４を収納された外殻体３を伝熱ユニットＵと称する。
【００２６】
再び図２に戻って説明する。伝熱ユニットＵの底部下板３ｂ２に明けられた孔１４からは、カーボン材（円盤状分割型）４ｂが露出されており、この孔１４に嵌合するようにペルチェ素子５が装着される。ペルチェ素子５の熱交換面（表面）は、カーボン材４ｂに当接される。図２においては、温度センサ６を明示するためにペルチェ素子５の表面とカーボン材４ｂの下面が離間して示されているが、ペルチェ素子５の表面とカーボン材４ｂの下面は密着することが好ましい。
【００２７】
なお、本実施形態では、温度センサ６、７としてサーミスタが使用され、ペルチェ素子５の表面に塗布したグリス状の伝熱用充填剤に埋め込むようにして固定される。図２において、温度センサ６、７とペルチェ素子駆動回路８との間の配線は省略されている。
【００２８】
そして、上記のように構成された伝熱ユニットＵが、樹脂製の外側ケース１２に収納される。外側ケース１２の底部と伝熱ユニットＵの底部との間には空間Ｓが形成され、ファン１１によって吸引された空気が放熱器９を通過して外側ケース１２の反対側へ放出される。外側ケース１２のファン１１が対向する面には、空気吸引孔１５が明けられ、外側ケース１２の反対側には空気放出孔１６が明けられる。
【００２９】
また、外側ケース１２の底部と伝熱ユニットＵの底部との間の空間Ｓには、ペルチェ素子駆動回路８及びファン１１の電源用電池と電源回路（不図示）とが収納される。本実施形態では、電源用電池としてリチュームイオン電池が用いられる。
【００３０】
次に、本実施形態の保冷装置１の動作及び使用方法について説明する。まず、本実施形態の保冷装置１に、図１に示すように飲料瓶２を立ち姿勢で挿入する。この状態でスイッチをオンすると、ペルチェ素子５が駆動されて、ペルチェ素子５の表面側（温度センサ６側）から熱が吸収され、裏面側（温度センサ７側）に放出され、主に伝熱ユニットＵのカーボン材（円盤状分割型）４ｂが冷却される。
【００３１】
カーボン材（円盤状分割型）４ｂが冷却されることによって、伝熱ユニットＵの全体が徐々に冷却され、飲料瓶２が冷却される。このとき、飲料瓶２の底部が伝熱ユニットＵにほぼ密着されているので、飲料瓶２が効率よく冷却される。カーボン材（円盤状分割型）４ｂの底面は、断熱性樹脂からなる底部下板３ｂ２によって覆われるので、外側ケース１２の底部と伝熱ユニットＵの底部との間の常温の空間Ｓに晒されることがなく、カーボン材（円盤状分割型）４ｂの温度上昇が抑えられる。また、外殻体３がアルミニュウム又は樹脂で形成されるので軽量で取り扱いが容易であり、かつ熱伝達効率がよい。
【００３２】
ペルチェ素子５は、ペルチェ素子５の表裏における温度差が所定の値（例えば３０度）になるように駆動する。ペルチェ素子駆動回路８は、ペルチェ素子５の表面側の温度センサ６の検出温度が目的の温度（例えば０度）になるようにペルチェ素子５への供給電流を増減制御する。
【００３３】
そして、ペルチェ素子５の裏面側の温度センサ７の検出温度が常温の範囲を超えたときには、ファン１１が駆動されて、放熱器９を介してペルチェ素子５の裏面側の熱を放散させる。これによりペルチェ素子５の裏面側の温度は、常温程度まで下げられ、ペルチェ素子５の表面側の温度は摂氏０度程度まで下げられる。
【００３４】
飲料瓶２を持ち上げるときは、ユーザが飲料瓶２の上部を手で掴んで上方へ引き上げれば、保冷装置１が適度な重さを有していることから、飲料瓶２の底部が伝熱ユニットＵ内にほぼ密着して挿入されているにも関わらず、飲料瓶２のみが円滑に上方へ引き抜かれる。また、カーボン材４は、その全周を外殻体３によって覆われるので、表面のカーボン粉末がユーザに付着することがない。
【００３５】
以上のように、本実施形態の保冷装置１では、卓上に置いたコースタ型の保冷装置に、冷蔵庫等から取り出した飲料瓶２を立ち姿勢で挿入しておくだけで、飲料瓶２（飲料）が適度に保冷される。また、保冷装置１は、その大部分がカーボン材４で構成されるので、軽量であり、消費電力が少なくて済む。
【００３６】
なお、ペルチェ素子５へ供給する電流の極性を切り換えられるようにすれば、ペルチェ素子５は裏面側で熱を吸収し、表面側で放熱するように作用するので、保温装置として用いることもできる。
【図面の簡単な説明】
【００３７】
【図１】本発明に係る実施形態の保温保冷装置の使用態様を示す説明図。
【図２】同じく保温保冷装置の縦断面図。
【図３】分周円筒状分割型の外殻体の中空部内への収納手順を示す説明図。
【図４】同じく円盤状分割型の外殻体の中空部内への収納手順を示す説明図。
【図５】同じく底部下板の固定手順を示す説明図。
【符号の説明】
【００３８】
１  保温保冷装置
２  飲料瓶（飲料容器）
３  外殻体
３ａ  外周円筒部
３ｂ  底部
３ｂ１  底部上板
３ｂ２  底部下板
４  カーボン材
４ａ  分周円筒状分割型
４ｂ  円盤状分割型
５  ペルチェ素子
８  駆動回路
１４  孔（開口）
【図１】
2007113805.tif 000003
【図２】
2007113805.tif 000004
【図３】
2007113805.tif 000005
【図４】
2007113805.tif 000006
【図５】
2007113805.tif 000007